(57)【特許請求の範囲】
【請求項１】
ケース内に格納され、主回路電流に応動して湾曲変位するバイメタルと、該バイメタルの湾曲変位により変位する連動板と、該連動板の変位によりトリップ動作し接点の開閉状態を反転させる反転機構部と、接点の開閉状態を反転させる主回路電流値を調整する調整機構部と、トリップ状態の前記反転機構部を定常状態に戻すリセットバーと、を備える熱動式過電流継電器において、
前記リセットバーは、柱状の下端部の一部を切欠いて切欠部が形成され、手動リセットモードのときは、前記切欠部の切欠かれた面を、前記ケース内に片持ち支持された常開固定接触子の片持ち支点の方向に向けた状態で、前記ケース内に押込まれ、前記常開固定接触子の前記片持ち支点から所定距離Ｌ１離間した点を前記下端部の切欠かれていない部分で押圧し、前記常開固定接触子を湾曲変形させて手動リセットを行ない、
自動リセットモードのときは、前記リセットバーは、前記ケース内に一定量押込まれ、かつ、前記切欠部の切欠かれた面が、前記常開固定接触子の前記片持ち支点の方向から一定量回転した方向を向くように軸回りに回転されて前記ケースに係止され、前記常開固定接触子の前記片持ち支点から前記所定距離Ｌ１よりも小さい距離離間した点を前記下端部で押圧し、前記常開固定接触子を、対向する常開可動接触子側に湾曲変形させた定常状態とすることを特徴とする熱動式過電流継電器。
【請求項２】
ケース内に格納され、主回路電流に応動して湾曲変位するバイメタルと、該バイメタルの湾曲変位により変位する連動板と、該連動板の変位によりトリップ動作し接点の開閉状態を反転させる反転機構部と、接点の開閉状態を反転させる主回路電流値を調整する調整機構部と、トリップ状態の前記反転機構部を定常状態に戻すリセットバーと、を備える熱動式過電流継電器において、
前記リセットバーは、柱状の下端部に径方向に突出する突起部が形成され、手動リセットモードのときは、前記突起部を、前記ケース内に片持ち支持された常開固定接触子の片持ち支点の方向から一定量回転した方向を向くように軸回りに回転させた状態で、前記ケース内に押込まれ、前記常開固定接触子の前記片持ち支点から所定距離Ｌ３離間した点を前記下端部の前記突起部以外の部分で押圧し、前記常開固定接触子を湾曲変形させて手動リセットを行ない、
自動リセットモードのときは、前記リセットバーは、前記ケース内に一定量押込まれ、かつ、前記突起部が前記常開固定接触子の片持ち支点側を向くように軸回りに回転されて前記ケースに係止され、前記常開固定接触子の片持ち支点から前記所定距離Ｌ３よりも小さい距離離間した点を前記突起部で押圧し、前記常開固定接触子を、対向する常開可動接触子側に湾曲変形させた定常状態とすることを特徴とする熱動式過電流継電器。
【請求項３】
前記リセットバーは、リセットばねにより付勢されて前記ケースに組付けられ、前記リセットバーの頭部の外径は、前記リセットばねの外径よりも大きく、前記リセットバーが前記常開固定接触子を押圧する部分であるリセットバー下端部の外径は、前記リセットばねの内径よりも小さく形成されていることを特徴とする請求項１又は２に記載の熱動式過電流継電器。
【発明の詳細な説明】
【技術分野】
【０００１】
本発明は、モータ等が過負荷状態となったときの過電流や、三相配線のいずれかが切れるなどして欠相状態となったときの過電流を検知し、トリップ動作して接点出力により電磁接触器等を解放して主回路を遮断させ、モータ等を保護する熱動式過電流継電器に関するものである。
【背景技術】
【０００２】
従来の熱動式過電流継電器は、モータ等の負荷が過負荷状態となり、主回路に過電流が流れたとき、或いは、主回路三相に欠相が生じたときなどの異常時に、電磁接触器等を動作させて主回路を遮断しモータ等の負荷を停止させるためにトリップ動作し、内部接点機構の常閉接点を開き、常開接点を閉じる機能と、トリップ動作後に、手動リセットにより、内部接点機構の常閉接点を閉じ常開接点を開くリセット状態に復帰させ機能と、自動リセットにより、所定時間後に自動的にリセット状態に復帰する機能と、を備え、自動リセットと手動リセットの切換えが可能になっている。
【０００３】
従来の熱動式過電流継電器として、主回路電流に応動して湾曲するバイメタルの動きをトグル機構からなる反転機構部に伝達し、重心位置が回動中心と略同位置となる軸を中心に回動するレバーからなる連動手段によって常閉接点及び常開接点を連動動作させる熱動式過電流継電器において、前記軸を中心に回動するレバーは、回動中心を略重心位置とし、その回動中心から３方向に伸びる腕からなり、第１の腕で常閉接点の常開可動接触子に係合し、第２の腕で常開接点の常開可動接触子に係合し、第３の腕の先端を動作表示としたものがある（例えば、特許文献１参照）。
【０００４】
上記の熱動式過電流継電器は、トリップ状態においてリセットバーを手動で押下げると、常開固定接触子を介して内部接点機構が動作しリセット状態に戻る。また、切換レバーにより常開固定接触子の上面を押下げると、復帰方式を、手動リセットから自動リセットへ切替えることができる。
【０００５】
また、常開固定接触子と常開可動接触子のオーバートラベル寸法内での変形により、常開固定接点と常開可動接点とが互いに摺り合わされ、夫々の接点表面のホコリ、ゴミ、酸化物などが取り除かれ、常開接点の接触信頼性を向上させている。
【０００６】
【特許文献１】実公平０６−０２８７６３号公報
【発明の開示】
【発明が解決しようとする課題】
【０００７】
しかしながら、上記従来の技術によれば、手動リセットを行なうためにリセットバーを必要とし、手動リセットと自動リセットを切替えるために切換レバーを必要とし、２つの部品を必要とする、という問題があった。
【０００８】
手動リセットの際に、常開固定接触子の接点と常開固定接触子が端子とカシメられている部分との間をリセットバーで押圧するような構造にすると、バイメタルが冷える前のトリップ状態で間違ってリセットバーを押圧した場合、無理に内部接点機構をリセット状態へ復帰させようと押圧し続ける結果、常開固定接触子が塑性変形し、熱動式過電流継電器の動作特性が変わってしまう、という問題があった。
【０００９】
また、常開固定接触子が塑性変形を起こさないまでも、通常の手動リセット時に、常開固定接触子自身が撓むので、リセットに必要なストロークが確保し難く、固定接触子の撓み分を考慮してリセットバーの押圧変位量を設定する必要があり、継電器の外形が大きくなってしまう。それ故、手動リセットの際には、なるべく常開固定接触子の接点に近い位置で、常開固定接触子を押圧するようにしたい、という課題がある。
【００１０】
一方で、自動リセットの際に、切換レバーが常開固定接触子の接点の真上を押圧する構造にすると、トリップ状態で常開固定接触子と常開可動接触子のオーバートラベル量を確保することができず、常開接点の接触信頼性が低下する。それ故、自動リセットの際には、なるべく常開固定接触子が端子とカシメられている部分に近い位置で常開固定接触子を押圧するようにしたい、という課題がある。
【００１１】
上述の２つの課題を満足させるために２つの部品を必要とし、組立工数が多い、という問題があった。また、２つの部品が組み込まれるため、外形が大きくなってしまう、という問題があった。さらに、２つの部品が組み込まれるため、組合せ寸法のバラツキが大きくなって、特性のバラツキが大きくなる原因となり、品質管理に工数を要する、という問題があった。
【００１２】
本発明は、上記に鑑みてなされたものであって、手動リセットモード時及び自動リセットモード時の上記２つの課題を満足させるとともに、部品点数の少ない熱動式過電流継電器を得ることを目的とする。
【課題を解決するための手段】
【００１３】
上述した課題を解決し、目的を達成するために、本発明は、ケース内に格納され、主回路電流に応動して湾曲変位するバイメタルと、該バイメタルの湾曲変位により変位する連動板と、該連動板の変位によりトリップ動作し接点の開閉状態を反転させる反転機構部と、接点の開閉状態を反転させる主回路電流値を調整する調整機構部と、トリップ状態の前記反転機構部を定常状態に戻すリセットバーと、を備える熱動式過電流継電器において、前記リセットバーは、柱状の下端部の一部を切欠いて切欠部が形成され、手動リセットモードのときは、前記切欠部の切欠かれた面を、前記ケース内に片持ち支持された常開固定接触子の片持ち支点の方向に向けた状態で、前記ケース内に押込まれ、前記常開固定接触子の前記片持ち支点から所定距離Ｌ１離間した点を前記下端部の切欠かれていない部分で押圧し、前記常開固定接触子を湾曲変形させて手動リセットを行ない、自動リセットモードのときは、前記リセットバーは、前記ケース内に一定量押込まれ、かつ、前記切欠部の切欠かれた面が、前記常開固定接触子の前記片持ち支点の方向から一定量回転した方向を向くように軸回りに回転されて前記ケースに係止され、前記常開固定接触子の前記片持ち支点から前記所定距離Ｌ１よりも小さい距離離間した点を前記下端部で押圧し、前記常開固定接触子を、対向する常開可動接触子側に湾曲変形させた定常状態とすることを特徴とする。
【発明の効果】
【００１４】
この発明によれば、リセットバーの１部品のみで、従来のリセットバーと切換レバーの機能を有しており、組立工数が少なく、組合せ寸法バラツキも小さくなるため特性バラツキも小さくなり、品質管理工数が減り、また、外形が小さい熱動式過電流継電器が得られる、という効果を奏する。
【発明を実施するための最良の形態】
【００１５】
以下に、本発明にかかる熱動式過電流継電器の実施の形態を図面に基づいて詳細に説明する。なお、この実施の形態によりこの発明が限定されるものではない。
【００１６】
実施の形態１．
図１は、本発明にかかる熱動式過電流継電器の実施の形態１を示す上面図であり、図２は、実施の形態１の熱動式過電流継電器の斜視図であり、図３は、実施の形態１の熱動式過電流継電器のカバーを外した正面図であり、図４−１は、リセットバーの上面図であり、図４−２は、リセットバーの正面図であり、図４−３は、リセットバーの側面図であり、図４−４は、リセットバーの下面図であり、図４−５は、リセットバーの左上方斜視図であり、図４−６は、リセットバーの右下方斜視図であり、図５−１は、リセットバーを抜け止め板に組み付けた状態を示す下方斜視図であり、図５−２は、リセットバーを抜け止め板に組み付けた状態を示す背面図であり、図５−３は、リセットバーを抜け止め板に組み付けた状態を示す下面図であり、図６−１は、手動リセットモード時の常開接点及びリセットバーを示す正面図であり、図６−２は、図６−１のＡ−Ａ線に沿う断面図であり、図７−１は、自動リセットモード時の常開接点及びリセットバーを示す正面図であり、図７−２は、図７−１のＢ−Ｂ線に沿う断面図であり、図８−１は、ケースのリセットバーが組み付けられる部分を示す下方斜視図であり、図８−２は、ケースのリセットバーが組み付けられる部分を示す上方斜視図であり、図９−１は、リセットバーにリセットばねが組み付けられる状態を示す正面図であり、図９−２は、図９−１のＣ−Ｃ線に沿う断面図であり、図９−３は、リセットバーにリセットばねが組み付けられた状態を示す正面図であり、図９−４は、図９−１のＤ−Ｄ線に沿う断面図である。
【００１７】
図１〜図３に示すように、熱動式過電流継電器（以下、単に「継電器」ともいう。）１００は、前面が開口した直方体状のケース１に格納されている。ケース１の前面は、継電器１００の組立後にカバー２で覆われる。
【００１８】
図３に示すように、ケース１の右下部及び中央下部にバイメタル３、３が配置されている。バイメタル３、３には、ヒータ４が巻回されている。主回路に通電されるとヒータ４が発熱し、バイメタル３、３は、主回路電流に応動して湾曲変形する。
【００１９】
バイメタル３、３の下端には、連動板５が当接し、連動板５は、バイメタル３、３の湾曲変位により変位し、バイメタル３、３の湾曲変位を、ケース１の左側に配置された反転機構部２０の温度補償バイメタル６の下端部６ｂに伝達する。反転機構部２０は、温度補償バイメタル６と、反転板７と、温度補償バイメタル６の上端と反転板７の上部とに張架された引きばね８と、温度補償バイメタル６の中間部及び反転板７の下端部を支持する支持部材９と、を備え、連動板５により操作され、反転トリップ動作して接点の開閉状態を反転させる。
【００２０】
反転板７の上端には、常閉可動接点７ａが設けられている。反転板７に対向するように常閉固定接触子１０が配置され、常閉固定接触子１０には、常閉固定接点１０ａが設けられている。支持部材９は、ケース１に揺動可能に設置され、ケース１の上部にねじ込まれた調整ねじ１１を、ツマミ１２を回してねじ込むことにより揺動変位し、温度補償バイメタルの支持位置を変位させ、接点の開閉状態を反転させる主回路電流値を調整するようになっている。支持部材９は、板ばね１８により図３の右方へ揺動するように付勢されている。温度補償バイメタルの支持位置を左方へ変位させるほど接点の開閉状態を反転させる主回路電流値が大きくなる。ツマミ１２の頂部には、調整可能な範囲の電流値及び目盛が印字されている。ツマミ１２及び板ばね１８が、調整機構部を構成している。
【００２１】
連動機構部としての３本の放射状の腕を持つ回転レバー１３が、ケース１の左上部に配置され軸１ａに支持されている。回転レバー１３の一つの腕１３ｂには、反転板７の上端が係合し、回転レバー１３は、反転機構部２０の反転トリップ動作に連動して回転トリップする。
【００２２】
先端に常開可動接点１４ａを有する常開可動接触子１４が、ケース１の上部右側に水平に片持ち支持されている。常開可動接触子１４は、回転レバー１３の一つの腕１３ａに係合し、回転レバー１３の回転トリップ動作により持ち上げられて湾曲変形する。
【００２３】
常開可動接触子１４に対向するように、常開固定接点１５ａを有する常開固定接触子１５が、ケース１の上部右側の常開可動接触子１４の上方に水平に片持ち支持されている（後述の手動リセットモードの場合）。反転機構部２０を反転トリップ状態から復転リセット状態へ戻すためのリセットバー１６が、抜け止め板１９に抜け止めされて（図５−１〜図５−３参照）ケース１の上部に配置されている。常開可動接触子１４とリセットバー１６とは、直交するように配置されている。リセットバー１６には、リセットバー１６を押込み状態から復帰させるように付勢するリセットばね１７が装着されている。
【００２４】
次に、図３を参照しつつ、継電器１００の動作について説明する。モータ等の負荷になんらかの異常が生じ、主回路電流が増大すると、ヒータ４の発熱量が大きくなり、ヒータ４の発熱量に応動してバイメタル３、３が左方へ湾曲変形し、バイメタル３、３の下端が左方へ変位する。
【００２５】
この左方への変位により、連動板５が左方へ変位し、連動板５の変位量が一定量に達すると、温度補償バイメタル６の下端部６ｂに当接する。当接位置からさらに連動板５が左方へ変位すると、温度補償バイメタル６は、支持部材９の温度補償バイメタル支点９ａを支点として、時計回りに回動する。
【００２６】
温度補償バイメタル６の上端のばね係止部６ａが、反転板７のばね係止部７ｂと支持部材９の反転板支点９ｂとを結ぶ直線の延長線よりも図３の右側に変位すると、引きばね８により反転板７のばね係止部７ｂにかかる力の方向が、反時計回り方向から時計回り方向へ反転するので、反転板７が時計回りに右方へ反転トリップ動作する。反転板７が右方へ反転トリップ動作すると、反転板７の上端の常閉可動接点７ａが、常閉固定接触子１０の上端の常閉固定接点１０ａから開離する（接点の開閉状態を反転させる）。
【００２７】
また、反転板７の右方への反転トリップ動作により、連動機構部としての回転レバー１３が支軸１ａ回りに反時計回りに回動トリップし、常開可動接触子１４が、回転レバー１３の腕１３ａにより上方へ持上げられ、常開可動接触子１４の常開可動接点１４ａが、常開固定接触子１５の常開固定接点１５ａに当接する（接点の開閉状態を反転させる）。上記の、常閉接点が開き常開接点が閉じる動作をトリップと呼び、トリップ動作により接点の開閉状態が反転した状態をトリップ状態と呼ぶ。
【００２８】
ツマミ１２を図１の時計回りに回すと、調整ねじ１１がねじ込まれて支持部材９の上部のレバー部９ｘが下方へ押圧され、支持部材９が、Ｌ字曲げ部９ｚとケース１の突起１ｚとの係合部を支点として時計回りに揺動する。逆に、ツマミ１２を図１の反時計回りに回すと、支持部材９は、板ばね１８の押圧力により反時計回りに揺動する。
【００２９】
上記のように支持部材９が揺動することにより、支持部材９の反転板支点９ｂ及び温度補償バイメタル支点９ａの位置が変位し、また、連動板５と温度補償バイメタル６の下端部６ｂとの間の距離が変わるので、トリップ動作に必要な連動板５の変位量を調整することができる。
【００３０】
連動板５は、バイメタル３、３の下端部の変位に応じて変位し、バイメタル３、３は、主回路電流によるヒータ４の発熱量に応じて湾曲して下端部を変位させるので、ツマミ１２を回して調整することにより、熱動式過電流継電器１００のトリップ動作に要する主回路の電流値を調整することができる。
【００３１】
次に、図４−１〜図９−４を参照して、熱動式過電流継電器１００のリセット機構部について説明する。リセットバー１６は、ケース１の上部に組み付けられ、リセットばね１７により上方向に付勢されている。リセットバー１６は、リセットバー１６の円柱状頭部の下部に設けられた突起１６ｘの上面１６ａが、抜け止め板１９の天板１９ａと当接して抜け止めされている。
【００３２】
トリップ状態では、常開可動接触子１４及び常開固定接触子１５は、回転レバー１３により上方に持ち上げられて湾曲変形し、回転レバー１３の回動が止まった位置で安定状態となっている。このトリップ状態から、モータ等の負荷の異常状態が回復し、バイメタル３、３が冷えて湾曲が元に戻ると、リセット動作を行なうことが可能となる。
【００３３】
手動リセットモードにおいて、手動リセットを行なうために、リセットばね１７に抗してリセットバー１６を下方へ押し込むと、リセットバー１６の下端面１６ｂが、常開固定接触子１５に当接する。常開固定接触子１５は、リセットバー１６の下方への変位に応じて下方へ押し込まれ、常開固定接点１５ａに当接している常開可動接点１４ａ及び常開可動接触子１４を介して連動機構部としての回転レバー１３を時計回りに回転させて逆トリップさせる。
【００３４】
回転レバー１３の逆トリップにより、反転板７が反時計回りに回動し、反転板７の上部のばね係止部７ｂが、リセットラインである支持部材９の温度補償バイメタル支点９ａと反転板支点９ｂとを結ぶ直線の延長線よりも図３の左側に変位すると、引きばね８により反転板７のばね係止部７ｂにかかる力の方向が、時計回り方向から反時計回り方向へ復転するので、反転板７が反時計回りに左方へ復転リセットされ、継電器１００を、トリップ状態からリセット状態（常閉接点が閉じ、常開接点が開いた状態）へとリセットする。
【００３５】
手動リセット時のリセットバー１６の押圧変位量は、リセットバー１６の頭部の突起１６ｘの下面１６ｃが、ケース１のストッパ１ｂ（図８−２参照）と当接することにより規制される。これにより、リセットバー１６の押し込み過ぎによる不具合は発生しない。
【００３６】
また、リセットバー１６の押し込み時には、リセットバー１６の突起１６ｘの垂直面１６ｅ（図４−６参照）が、ケース１の壁面１ｃ（図８−１参照）を摺動し、リセットバー１６の突起１６ｘの垂直面１６ｄが、抜け止め板１９の内壁面１９ｂを摺動するので、リセットバー１６は、自身の回転が規制されている。
【００３７】
以上説明したように、リセットバー１６の頭部に設けられた突起１６ｘは、リセットバー１６の抜け止め、手動リセット時のリセットバー１６の押圧変位量の規制及び自身の回転規制の、３つの機能を有している。
【００３８】
リセットバー１６の頭部の突起１６ｘの上面１６ａを、ケース１の水平壁面１ｄ（図８−１参照）の下に位置させるように、リセットバー１６を一定量押し込み、リセットバー１６を、図１において（軸回りに）時計回りに捻ると、リセットバー１６の頭部の突起１６ｘが、ケース１の溝部１ｅ（図８−１参照）に挿入され、リセットばね１７の付勢力により、リセットバー１６が溝部１ｅに係止される。この状態で、継電器１００は、自動リセットモードとなる。
【００３９】
自動リセットモードにおいては、図７−１に示すように、リセットバー１６により、常開固定接触子１５が押し下げられて湾曲変形し、常開固定接触子１５が常開可動接触子１４に近づき、常開固定接点１５ａと常開可動接点１４ａとの間の接点ギャップが、手動リセットモードのときと比べて小さい定常状態となり、回転レバー１３の反時計回りの回動量（トリップ量）が規制される。
【００４０】
そのため、反転板７の上部のばね係止部７ｂのトリップ位置は、リセットラインである支持部材９の温度補償バイメタル支点９ａと反転板支点９ｂとを結ぶ直線の延長線よりも図３の右側へ変位しない。これにより、負荷の異常が回復し、ヒータ４の発熱が収まり、バイメタル３、３の湾曲が復帰し、連動板５が右方へ変位し、温度補償バイメタル６に連動板５の力が作用しなくなると、反転機構部２０は、自動的にトリップ状態からリセット状態へ復帰し、継電器１００を、トリップ状態からリセット状態（常閉接点が閉じ、常開接点が開いた状態）へとリセットする。
【００４１】
図４−２に示すように、リセットバー１６は、手動リセットモードにおける常開固定接触子１５の片持ち支点側を切欠いている（円柱状の下端部の一部を切欠いた切欠部１６ｆ）。それ故、手動リセットモードにおいて、切欠部１６ｆの切欠かれた面を常開固定接触子１５の片持ち支点の方向に向けた状態で、リセットバー１６を押圧変位させると、リセットバー１６の下端面（下端部の切欠かれていない部分）１６ｂと、常開固定接触子１５との当接点をＡ点とすると、図６−２に示すように、常開固定接触子１５の片持ち支点からＡ点までの水平距離Ｌ１が、切欠部１６ｆを切欠いていないときに比べて長くなっている。
【００４２】
リセットバー１６を、押し込んで捻り自動リセットモードに設定すると、リセットバー１６の切欠部１６ｆが、図１で時計回りに回転移動し、切欠部１６ｆの切欠かれた面を、常開固定接触子の片持ち支点の方向から一定量回転した方向を向くように軸回りに回転され、自動リセットモードのリセット状態におけるリセットバー１６の下端部の切欠かれていない部分１６ｂと常開固定接触子１５との当接点をＢ点とすると、図７−２に示すように、常開固定接触子１５の片持ち支点からＢ点までの水平距離Ｌ２は、手動リセットモードにおける水平距離Ｌ１と比べ、短くなっている。
【００４３】
リセットバー１６と常開固定接触子１５との当接点が、手動リセットモードでは、常開固定接点１５ａに近い位置（片持ち支点から遠い位置）にあるので、バイメタル３、３が冷え切る前のトリップ状態で間違ってリセットバー１６を押したときに、無理に反転機構部２０をリセット状態へ復帰させようと押圧し続け、常開固定接触子１５が塑性変形して、継電器１００の動作特性が変わってしまう危険性が少ない。
【００４４】
また、常開固定接触子１５が塑性変形を起こさないまでも、通常の手動リセット時に、常開固定接触子１５自身が撓むことにより、リセットに必要なストロークが確保しづらくなるので、撓み分を考慮してリセットバー１６の押圧変位量を大きめにする必要から、ケース１の外形を大きくする必要もない。
【００４５】
自動リセットモードにおいては、Ｂ点を曲げ支点として常開固定接触子１５のオーバートラベル量を確保することができ、常開固定接触子１５と常開可動接触子１４のオーバートラベル内での変形により、常開固定接点１５ａと常開可動接点１４ａが互いに摺り合わされ、接点表面のホコリ、ゴミ、酸化物などを取り除き、常開接点の接触信頼性を向上させている。
【００４６】
また、リセットバー１６だけの１部品で、従来のリセットバーと切換レバーの機能を有しているので、組立工数が少なく、組合せ寸法バラツキが小さくなり、特性バラツキも小さくなり、品質管理工数が減る。また、継電器１００の外形寸法を小さくすることができる。
【００４７】
リセットばね１７が当接するリセットバー１６の頭部の下面１６ｇの直径は、図９−４に示すように、リセットばね１７の外径よりも大きくしている。また、リセットバー１６の下端部に設けられた突起は、図９−２に示すように、リセットばね１７の内径よりも小さくしてある。
【００４８】
それ故、リセットばね１７は、リセットバー１６の下端部より嵌め込むことができ、リセットばね１７を嵌め込むためにリセットバー１６を分割する必要はなく、リセットバー１６の頭部の下面１６ｇが、リセットばね１７の抜け止めとなるので、リセットばね１７を抜け止めするための部品も必要なく、リセットバーを、１部品のみで構成することができる。
【００４９】
実施の形態２．
実施の形態１では、リセットバー１６の切欠部１６ｆが回転移動してリセットバー１６と常開固定接触子１５との当接点を変えたが、この当接点の変更は、リセットバー１６の下端部に径方向に突出する突起部を設けて行なってもよい。
【００５０】
例えば、リセットバー１６の下端部に、図３においてケース１の奥方向へ突出する（常開固定接触子１５の片持ち支点の方向から一定量回転した方向を向く）突起部を形成し、手動リセットモードのときは、突起部を、ケース１内に片持ち支持された常開固定接触子１５の片持ち支点の方向から一定量回転した方向を向くように軸回りに回転させた状態で、ケース１内に押込まれ、常開固定接触子１５の片持ち支点から所定距離Ｌ３離間した点を下端部の突起部以外の部分で押圧し、自動リセットモードでは、リセットバー１６を図１の時計回りに回動させ、突起部を回転移動させ、突起部を常開固定接触子１５の片持ち支点側に向け、突起部を、常開固定接触子１５との当接点として、手動リセットモードに比べ、自動リセットモードにおけるリセットバー１６と常開固定接触子１５との当接点を、常開固定接触子１５の片持ち支点に近くするようにしてもよい。
【図面の簡単な説明】
【００５１】
【図１】本発明にかかる熱動式過電流継電器の実施の形態１を示す上面図である。
【図２】実施の形態１の熱動式過電流継電器の斜視図である。
【図３】実施の形態１の熱動式過電流継電器のカバーを外した正面図である。
【図４−１】リセットバーの上面図である。
【図４−２】リセットバーの正面図である。
【図４−３】リセットバーの側面図である。
【図４−４】リセットバーの下面図である。
【図４−５】リセットバーの左上方斜視図である。
【図４−６】リセットバーの右下方斜視図である。
【図５−１】リセットバーを抜け止め板に組み付けた状態を示す下方斜視図である。
【図５−２】リセットバーを抜け止め板に組み付けた状態を示す背面図である。
【図５−３】リセットバーを抜け止め板に組み付けた状態を示す下面図である。
【図６−１】手動リセットモード時の常開接点及びリセットバーを示す正面図である。
【図６−２】図６−１のＡ−Ａ線に沿う断面図である。
【図７−１】自動リセットモード時の常開接点及びリセットバーを示す正面図である。
【図７−２】図７−１のＢ−Ｂ線に沿う断面図である。
【図８−１】ケースのリセットバーが組付けられる部分を示す下方斜視図である。
【図８−２】ケースのリセットバーが組付けられる部分を示す上方斜視図である。
【図９−１】リセットバーにリセットばねを組付ける状態を示す正面図である。
【図９−２】図９−１のＣ−Ｃ線に沿う断面図である。
【図９−３】リセットバーにリセットばねを組付けた状態を示す正面図である。
【図９−４】図９−３のＤ−Ｄ線に沿う断面図である。
【符号の説明】
【００５２】
１  ケース
２  カバー
３  バイメタル
４  ヒータ
５  連動板
６  温度補償バイメタル
７  反転板
７ａ  常閉可動接点
８  引きばね
９  支持部材
１０  常閉固定接触子
１０ａ  常閉固定接点
１１  調整ねじ
１２  ツマミ
１３  回転レバー（連動機構部）
１４  常開可動接触子
１４ａ  常開可動接点
１５  常開固定接触子
１５ａ  常開固定接点
１６  リセットバー
１７  リセットばね
２０  反転機構部
【図１】
0004722088.tif 000002
【図２】
0004722088.tif 000003
【図３】
0004722088.tif 000004
【図４−１】
0004722088.tif 000005
【図４−２】
0004722088.tif 000006
【図４−３】
0004722088.tif 000007
【図４−４】
0004722088.tif 000008
【図４−５】
0004722088.tif 000009
【図４−６】
0004722088.tif 000010
【図５−１】
0004722088.tif 000011
【図５−２】
0004722088.tif 000012
【図５−３】
0004722088.tif 000013
【図６−１】
0004722088.tif 000014
【図６−２】
0004722088.tif 000015
【図７−１】
0004722088.tif 000016
【図７−２】
0004722088.tif 000017
【図８−１】
0004722088.tif 000018
【図８−２】
0004722088.tif 000019
【図９−１】
0004722088.tif 000020
【図９−２】
0004722088.tif 000021
【図９−３】
0004722088.tif 000022
【図９−４】
0004722088.tif 000023